(57)【特許請求の範囲】
【請求項１】
押動作動体と、該押動作動体を進退可能に収容するシリンダーとが備えられ、
前記押動作動体には、該押動作動体の外周部から外方に突出する突出部を有する回転体が、押動作動体の軸線回りで回転自在であって、押動作動体の軸線方向に移動阻止状態となるように設けられ、
シリンダーは、基端部を有底とする基端側筒体と、無底の先端側筒体とに分割され、
基端側筒体には、その内周部に、筒内及び先端側筒体の側に開放されたカム用の第１切欠き部が設けられると共に、
先端側筒体には、その内周部に、筒内及び基端側筒体の側に開放されたカム用の第２切欠き部が設けられ、
基端側筒体と先端側筒体とは、第１切欠き部と第２切欠き部とが筒体の側の開放部を通じて互いに連通すると共に、これら連通する切欠き部内に前記押動作動体の回転体の突出部を筒内の側の開放部を通じて突出させた状態の同軸配置状態で接合一体化され、
前記シリンダー内において、押動作動体と基端側筒体の底部との間に、押動作動体を進出方向に付勢するバネが設けられ、
前記基端側筒体の第１切欠き部内における軸線方向及び／又は周方向を向く段部をカム部とし、該カム部は、前記バネの付勢力に抗して後退する押動作動体の回転体の突出部を基端側筒部の第１深さ位置で当接させてそれ以上基端側への押動作動体の後退を阻止する後退阻止用カム部と、該第１深さ位置よりも深い第２深さ位置に延びる後退用カム部とを、基端側筒体の内周部において、周方向に交互無限連続状配置にしたものからなり、
前記先端側筒体の第２切欠き部における軸線方向及び／又は周方向を向く段部をカム部とし、該カム部は、前記バネの付勢力によって進出する押動作動体の回転体の突出部を受けることにより、それ以上先端側への押動作動体の進出を阻止すると共に、突出部を基端側筒体の第１切欠き部における後退用カム部の側の周方向位置から後退阻止用カム部の側の周方向位置、該後退阻止用カム部の側の周方向位置から次の後退用カム部の側の周方向位置へと順次に周方向に回転送りしていくようになされたものからなり、
前記押動作動体をバネの付勢力に抗して押動後退させ、該押動作動体が後退阻止位置で後退を阻止された状態において、前記バネの付勢力によって押動作動体を進出阻止位置まで進出させ、そして、バネの付勢力に抗して押動作動体を押動後退させていくと、前記後退阻止位置を越えて後退していき、その状態からバネの付勢力によって押動作動体を進出阻止位置まで進出させた後、バネの付勢力に抗して押動作動体を押動後退させていくと、前記後退阻止位置で後退を阻止されるという一連の動作が繰り返されるようになされていることを特徴とするノック機構体。
【請求項２】
前記押動作動体は、先端部を有底とする筒部と、該筒部内において底部中央に立設され、該筒部の基端位置よりも外方に突出する軸部とを備えた押動作動体本体を備えていると共に、
前記回転体は、カム部係合用の前記突出部と、前記押動作動体本体の軸部を回転自在に貫通させる軸孔と、前記押動作動体本体の筒部内に回転自在に嵌合される嵌合部と、前記押動作動体本体の基端部に当接される当接部とを備え、
押動作動体本体の軸部が回転体の軸孔に通されると共に、回転体の嵌合部が押動作動体本体の筒部に嵌合され、かつ、押動作動体本体の軸部の先端部に抜止め材が取り付けられることで、前記回転体が、押動作動体に対して、軸線回りで回転自在で軸線方向への移動を阻止された状態に備えられている請求項１に記載のノック機構体。
【請求項３】
ドア枠の側枠の内面部とドア板の側面部のいずれか一方の面部に、請求項１又は２に記載のノック機構体のシリンダーが、基端側筒体を奥方とするようにして埋込み状態に設けられると共に、
もう一方の面部に、前記ノック機構体の押動作動体の位置に対応して、スイッチ体が、該面部と直交する方向に向けられ、該方向に進退可能であって、前記ノック機構体に備えられたバネの付勢力よりも大きな付勢力を備えた第２のバネによって進出位置に保持されるように設けられ、かつ、
該スイッチ体が進出位置に位置するか後退位置に位置するかで作動状態が切換え制御される機器が備えられ、
ドア板が閉じられ、ノック機構体の押動作動体が該スイッチ体によって押動されて後退阻止位置を越えて後退し、スイッチ体が進出位置に保持されている状態において、ドア板を開き、そして閉じていくと、ノック機構体の押動作動体の後退が後退阻止位置で阻止されることによりスイッチ体が第２バネの付勢力に抗して後退して後退位置に保持され、その状態からドア板を開き、そして閉じていくと、ノック機構体の押動作動体の後退阻止位置を越えた後退が許容されることでスイッチ体が第２バネの付勢力によって進出して進出位置に保持されるという一連の動作が繰り返されて、前記機器の作動状態が切り換えられるようになされていることを特徴とするノック機構体と建具とを用いた機器切換え制御機構。
【請求項４】
前記ドア板が開き戸式のドア板からなり、ノック機構体が、ドア枠の左右の側枠のうちのドア板が丁番で枢着される側の側枠の内面部、及び、ドア板の枢着側の側面部のいずれか一方の面部に設けられると共に、もう一方にスイッチ体が設けられている請求項３に記載の機器切換え制御機構。
【請求項５】
前記スイッチ体の先端部とノック機構体の押動作動体の先端部のうちの、いずれか一方が凸円弧状をしており、もう一方が凹円弧状をしていて、一方が他方を押動させて前記進退動作を行うようになされている請求項４に記載のノック機構体と建具とを用いた機器切換え制御機構。
【請求項６】
換気用排気口が設けられたトイレ室に隣室と連通する通気口が設けられると共に、該通気口を開閉する開閉材が設けられ、
請求項３乃至５のいずれか一に記載の機器切換え制御機構が前記開閉材による通気口の開閉の切換えを制御するものからなり、
前記通気口が開いた換気状態において、閉じられているドア板を開き、そして閉じると、通気口が開閉材で閉じられて遮音状態が形成され、続いて、ドア板を開き、そして閉じると、通気口が開かれて換気状態が形成されるようになされていることを特徴とするトイレ換気遮音構造。
【請求項７】
前記換気用排気口が高所に設けられると共に、前記通気口がドア板と床面との間に形成された隙間からなり、開閉材がドア板に組み込まれており、かつ、
請求項３乃至５のいずれか一に記載の機器切換え制御機構において、ドア枠の内面部にノック機構体が設けられると共に、ドア板の枢着側の側面部にスイッチ体が設けられ、該スイッチ体の進退動作に連動して開閉材が前記通気口の開閉動作をするようになされている請求項６に記載のトイレ換気遮音構造。
【請求項８】
室外と連通する通気口が設けられると共に、該通気口を開閉する開閉材が備えられ、
請求項３乃至５のいずれか一に記載の機器切換え制御機構が前記開閉材による通気口の開閉の切換えを制御するものからなり、
前記通気口が開いた通気状態で、閉じられているドア板を開き、そして閉じると、通気口が開閉材で閉じられて遮音状態が形成され、続いて、ドア板を開き、そして閉じると、通気口が開かれて通気状態が形成されるようになされていることを特徴とする通気遮音構造。
【請求項９】
請求項１又は２に記載のノック機構体が、そのシリンダーの先端部に外方に張り出す環状のつば部を備え、該ノック機構体を設置する面部に設けられた穴に、シリンダーの基端側を奥方とし、つば部を穴の開口周縁部に当接させるようにして、挿入配置されていることを特徴とするノック機構体の設置構造。
【発明の詳細な説明】
【技術分野】
【０００１】
本発明は、ノック機構体、該ノック機構体と建具とを用いた機器切換え制御機構、トイレ換気遮音構造、通気遮音構造及びノック機構体の設置構造に関する。
【背景技術】
【０００２】
例えば、トイレの換気性能と遮音性能を両立させる目的で、トイレ室に換気用排気口が設けられると共に、トイレのドア板と床面との間に通気部としての隙間が形成されるようにし、かつ、該ドア板にこの隙間を開閉する開閉材が組み込まれ、前記隙間を開いた換気状態において、閉じられているドア板を開き、そして、閉じると、隙間が開閉材で閉じられて遮音状態が形成され、続いて、ドア板を開き、そして閉じると、隙間が開かれて換気状態が形成されるようになされたトイレ換気遮音構造が、先の出願（特願２００７−１２４８１７号）において開示されている。
【０００３】
そして、上記の出願では、隙間を開いた換気状態において、閉じられているドア板を開き、そして、閉じると、隙間が開閉材で閉じられて遮音状態が形成され、続いて、ドア板を開き、そして閉じると、隙間が開かれて換気状態が形成されるようにするための機構として、ノック機構を用いることが開示されている。
【特許文献１】特願２００７−１２４８１７号
【発明の開示】
【発明が解決しようとする課題】
【０００４】
しかしながら、上記の出願発明では、一般的なノック機構を想定しているが、出願人は、このような場合に用いる合理的な構成を備えたノック機構の開発が必要であると考えていた。
【０００５】
本発明は、上記のような背景のもとでなされたものであって、簡素な構造で、容易に製作することができ、しかも、スムーズなノック動作を実現することができ、施工等の必要箇所への適用も容易に行うことができるノック機構を提供すると共に、該ノック機構と建具とを用いた機器切換え制御機構、トイレ換気遮音構造、通気遮音構造及びノック機構体の設置構造を提供することを課題とする。
【課題を解決するための手段】
【０００６】
上記の課題は、押動作動体と、該押動作動体を進退可能に収容するシリンダーとが備えられ、
前記押動作動体には、該押動作動体の外周部から外方に突出する突出部を有する回転体が、押動作動体の軸線回りで回転自在であって、押動作動体の軸線方向に移動阻止状態となるように設けられ、
シリンダーは、基端部を有底とする基端側筒体と、無底の先端側筒体とに分割され、
基端側筒体には、その内周部に、筒内及び先端側筒体の側に開放されたカム用の第１切欠き部が設けられると共に、
先端側筒体には、その内周部に、筒内及び基端側筒体の側に開放されたカム用の第２切欠き部が設けられ、
基端側筒体と先端側筒体とは、第１切欠き部と第２切欠き部とが筒体の側の開放部を通じて互いに連通すると共に、これら連通する切欠き部内に前記押動作動体の回転体の突出部を筒内の側の開放部を通じて突出させた状態の同軸配置状態で接合一体化され、
前記シリンダー内において、押動作動体と基端側筒体の底部との間に、押動作動体を進出方向に付勢するバネが設けられ、
前記基端側筒体の第１切欠き部内における軸線方向及び／又は周方向を向く段部をカム部とし、該カム部は、前記バネの付勢力に抗して後退する押動作動体の回転体の突出部を基端側筒部の第１深さ位置で当接させてそれ以上基端側への押動作動体の後退を阻止する後退阻止用カム部と、該第１深さ位置よりも深い第２深さ位置に延びる後退用カム部とを、基端側筒体の内周部において、周方向に交互無限連続状配置にしたものからなり、
前記先端側筒体の第２切欠き部における軸線方向及び／又は周方向を向く段部をカム部とし、該カム部は、前記バネの付勢力によって進出する押動作動体の回転体の突出部を受けることにより、それ以上先端側への押動作動体の進出を阻止すると共に、突出部を基端側筒体の第１切欠き部における後退用カム部の側の周方向位置から後退阻止用カム部の側の周方向位置、該後退阻止用カム部の側の周方向位置から次の後退用カム部の側の周方向位置へと順次に周方向に回転送りしていくようになされたものからなり、
前記押動作動体をバネの付勢力に抗して押動後退させ、該押動作動体が後退阻止位置で後退を阻止された状態において、前記バネの付勢力によって押動作動体を進出阻止位置まで進出させ、そして、前記バネの付勢力に抗して押動作動体を押動後退させていくと、前記後退阻止位置を越えて後退していき、その状態からバネの付勢力によって押動作動体を進出阻止位置まで進出させた後、バネの付勢力に抗して押動作動体を押動後退させていくと、前記後退阻止位置で後退を阻止されるという一連の動作が繰り返されるようになされていることを特徴とするノック機構体によって解決される（第１発明）。
【０００７】
このノック機構体では、押動作動体に、カム係合用の突出部を備えた回転体が設けられると共に、シリンダーが基端側筒体と先端側筒体との分割構造をしており、
押動作動体の回転体の突出部と、基端側筒体の第１切欠き部におけるカム部とで、押動作動体の後退阻止と後退とが行われるようになされていると共に（第１カム機能）、
押動作動体の回転体の突出部と、先端側筒体の第２切欠き部におけるカム部とで、回転体の突出部が、後退阻止のための周方向位置から後退のための周方向位置、該後退のための周方向位置から後退阻止のための周方向位置へと回転送りされるようになされて（第２カム機能）、
押動作動体の回転体の突出部が、上記の第１，第２の両方のカム機能の実現に併用された構造となされているので、基端側筒体の第１切欠き部におけるカム部と、先端側筒体の第２切欠き部におけるカム部と、押動作動体の回転体の突出部とをノック機構体に備えさせるだけでよく、そのため、構造が簡素で、製作も容易に行うことができる。もちろん、スムーズなノック動作も実現される。
【０００８】
しかも、シリンダーの基端側筒体が基端部を有底とし、押動作動体を進出方向に付勢するバネが、シリンダー内において、基端側筒体の底部と押動作動体との間に設けられた構造であるので、ノック機構体は、それ単独でノック動作を行うことができて、必要箇所への施工等の適用において、ノック動作が行われるようにするための関係部位との関係を考える必要がなく、施工等の必要箇所への適用も容易に行うことができる。
【０００９】
第１発明において、前記押動作動体は、先端部を有底とする筒部と、該筒部内において底部中央に立設され、該筒部の基端位置よりも外方に突出する軸部とを備えた押動作動体本体を備えていると共に、
前記回転体は、カム部係合用の前記突出部と、前記押動作動体本体の軸部を回転自在に貫通させる軸孔と、前記押動作動体本体の筒部内に回転自在に嵌合される嵌合部と、前記押動作動体本体の基端部に当接される当接部とを備え、
押動作動体本体の軸部が回転体の軸孔に通されると共に、回転体の嵌合部が押動作動体本体の筒部に嵌合され、かつ、押動作動体本体の軸部の先端部に抜止め材が取り付けられることで、前記回転体が、押動作動体に対して、軸線回りで回転自在で軸線方向への移動を阻止された状態に備えられているとよい（第２発明）。
【００１０】
この場合は、軸部を利用して、抜止め材と当接部とによって、軸線方向への回転体の移動を阻止することができると共に、
回転体軸孔への軸部の挿入と、押動作動体本体の筒部内への回転体嵌合部の嵌合とによって、押動作動体回りでの回転体の回転を安定でスムーズなものにすることができ、回転体の突出部を、シリンダーの先端側筒体の第２切欠き部におけるカム部とバネの付勢作用とで、スムーズに回転送りしていくことができて、誤作動のないスムーズなノック動作を実現することができる。
【００１１】
また、本願は、ドア枠の側枠の内面部とドア板の側面部のいずれか一方の面部に、第１発明又は第２発明に記載のノック機構体のシリンダーが、基端側筒体を奥方とするようにして埋込み状態に設けられると共に、
もう一方の面部に、前記ノック機構体の押動作動体の位置に対応して、スイッチ体が、該面部と直交する方向に向けられ、該方向に進退可能であって、前記ノック機構体に備えられたバネの付勢力よりも大きな付勢力を備えた第２のバネによって進出位置に保持されるように設けられ、かつ、
該スイッチ体が進出位置に位置するか後退位置に位置するかで作動状態が切換え制御される機器が備えられ、
ドア板が閉じられ、ノック機構体の押動作動体が該スイッチ体によって押動されて後退阻止位置を越えて後退し、スイッチ体が進出位置に保持されている状態において、ドア板を開き、そして閉じていくと、ノック機構体の押動作動体の後退が後退阻止位置で阻止されることによりスイッチ体が第２バネの付勢力に抗して後退して後退位置に保持され、その状態からドア板を開き、そして閉じていくと、ノック機構体の押動作動体の後退阻止位置を越えた後退が許容されることでスイッチ体が第２バネの付勢力によって進出して進出位置に保持されるという一連の動作が繰り返されて、前記機器の作動状態が切り換えられるようになされていることを特徴とするノック機構体と建具とを用いた機器切換え制御機構を含む（第３発明）。
【００１２】
この機器切換え制御機構では、第１発明又は第２発明のノック機構体の採用により、ノック機構体を、簡素な構造で、容易に製作することができ、施工等の必要箇所への適用も容易に行うことができ、機器のスムーズな切換え制御動作を実現することができる。
【００１３】
第３発明において、前記ドア板が開き戸式のドア板からなり、ノック機構体が、ドア枠の左右の側枠のうちのドア板が丁番で枢着される側の側枠の内面部、及び、ドア板の枢着側の側面部のいずれか一方の面部に設けられると共に、もう一方にスイッチ体が設けられているとよい（第４発明）。
【００１４】
この場合は、ドア枠の左右の側枠のうちのドア板が丁番で枢着される側の側枠の内面部、及び、ドア板の枢着側の側面部という、開き戸式ドア板の開閉動作に伴って相対変位を行う部分に着目してノック機構体とスイッチ体と組み込んだ構造であるので、ドア板の開閉操作に連動した機器切換え制御を実現することができると共に、ドア板が閉じられた状態においてこれらノック機構体とスイッチ体とを、前記面部間に隠蔽状態に隠すことができて、建具の外観を良好なものにすることができる。
【００１５】
第４発明において、前記スイッチ体の先端部とノック機構体の押動作動体の先端部のうちの、いずれか一方が凸円弧状をしており、もう一方が凹円弧状をしていて、一方が他方を押動させて前記進退動作を行うようになされているとよい（第５発明）。
【００１６】
この場合は、ノック機構体とスイッチ体のいずれか一方が、ドア板の丁番側の側面部とドア枠の対応側枠の内面部のいずれか一方に設けられ、もう一方がもう一方に設けられることにより、ドア板の開閉動作において、ノック機構体の押動作動体とスイッチ体のいずれか一方がもう一方を押動させていく過程で、それらの軸線方向が相対的に変化していくが、上記の凸円弧状先端面と凹円弧状先端面とにより、押動過程における押動作動体とスイッチ体の押動動作を安定でスムーズなものにすることができて、スムーズな機器切換え制御動作を実現することができる。
【００１７】
また、本願は、換気用排気口が設けられたトイレ室に隣室と連通する通気口が設けられると共に、該通気口を開閉する開閉材が設けられ、
第３乃至第５発明のいずれか一の機器切換え制御機構が前記開閉材による通気口の開閉の切換えを制御するものからなり、
前記通気口が開いた換気状態において、閉じられているドア板を開き、そして閉じると、通気口が開閉材で閉じられて遮音状態が形成され、続いて、ドア板を開き、そして閉じると、通気口が開かれて換気状態が形成されるようになされていることを特徴とするトイレ換気遮音構造を含む（第６発明）。
【００１８】
このトイレ換気遮音構造では、トイレのドア板はきちんと閉じておくという習慣を身につけておくことによって、換気状態において、トイレのために、ドア板を開けて中に入り、ドア板を閉じると、開いていた通気口が閉じられて遮音状態が形成されて、行為音が外に漏れず、行為終了後、ドア板を開け、外に出て、ドア板を閉じると、閉じられていた通気口が開かれて換気状態が形成される。これにより、男性が小便をするときであっても、トイレを確実にしかも負担なく容易に遮音状態にすることができて、行為音が、通気口を通じて隣室に漏れてしまうのを防ぐことができる。
【００１９】
しかも、第３乃至第５発明のいずれか一の機器切換え制御機構の採用によって、第１発明又は第２発明のノック機構体が採用されていることにより、ノック機構体を、簡素な構造で、容易に製作することができ、施工等の必要箇所への適用も容易に行うことができ、また、第３乃至第５発明のいずれか一の機器切換え制御機構の採用により、スムーズな切換え動作を実現することができると共に、建具の外観も良好なものにすることができる。
【００２０】
第６発明において、前記換気用排気口が高所に設けられると共に、前記通気口がドア板と床面との間に形成された隙間からなり、開閉材がドア板に組み込まれており、かつ、
第３乃至第５発明のいずれか一の機器切換え制御機構において、ドア枠の内面部にノック機構体が設けられると共に、ドア板の枢着側の側面部にスイッチ体が設けられ、該スイッチ体の進退動作に連動して開閉材が前記通気口の開閉動作をするようになされているとよい（第７発明）。
【００２１】
この場合は、換気用排気口と通気口とによってトイレ内を効果的に換気することができると共に、トイレ内で目視確認困難な通気口の開閉状態を、トイレのドア板をきちんと閉じるという習慣を身につけておくことで、適正に制御することができる。
【００２２】
また、本願は、室外と連通する通気口が設けられると共に、該通気口を開閉する開閉材が備えられ、第３乃至第５発明のいずれか一の機器切換え制御機構が前記開閉材による通気口の開閉の切換えを制御するものからなり、
前記通気口が開いた通気状態で、閉じられているドア板を開き、そして閉じると、通気口が開閉材で閉じられて遮音状態が形成され、続いて、ドア板を開き、そして閉じると、通気口が開かれて通気状態が形成されるようになされていることを特徴とする通気遮音構造を含む（第８発明）。
【００２３】
この通気遮音構造では、トイレに限らず、オーディオルームなどの通気と遮音の両方が必要とされる各種の室において、その室の使用中、音が外に漏れるのを、確実に、しかも、負担少なく、防ぐことができる。
【００２４】
また、本願は、第１発明又は第２発明のノック機構体が、そのシリンダーの先端部に外方に張り出す環状のつば部を備え、該ノック機構体を設置する面部に設けられた穴に、シリンダーの基端側を奥方とし、つば部を穴の開口周縁部に当接させるようにして、挿入配置されていることを特徴とするノック機構体の設置構造を含む（第９発明）。
【００２５】
この構造では、ノック機構体のシリンダーを設置面部の所定の埋込み深さ位置に容易に設置することができ、しかも、つば部で穴を隠蔽することができてきれいな仕上がり状態を形成することができ、穴の加工深さもシリンダーの長さ寸法以上にすればよくて施工を容易に行うことができる。
【発明の効果】
【００２６】
本発明のノック機構体は、以上のとおりのものであるから、簡素な構造で、容易に製作することができ、しかも、スムーズなノック動作を実現することができ、施工等の必要箇所への適用も容易に行うことができ、該ノック機構体を採用した機器切換え制御機構、トイレ換気遮音構造及び通気遮音構造においても、同様の効果が発揮されると共に、その他の効果も発揮される。
【発明を実施するための最良の形態】
【００２７】
次に、本発明の実施最良形態を図面に基づいて説明する。
【００２８】
図１（イ）（ロ）に示す実施形態のノック機構体１において、２は押動作動体、３はシリンダーである。
【００２９】
押動作動体２は、その外周部から外方に突出する周方向に４つのピン状の突出部４ａ…を等間隔配置で有する回転体４が、押動作動体２の軸線回りで回転自在であって、押動作動体２の軸線方向に移動阻止状態となるように設けられたものからなっている。
【００３０】
具体的には、本実施形態では、図２（イ）〜（ニ）に示すように、押動作動体２は、押動作動体本体５と、抜止め材としての抜止め板６とを備え、押動作動体本体５は、先端部を有底とする内周円形の筒部５ａと、該筒部５ａ内において底部中央に立設され、該筒部５ａの基端位置よりも外方に突出する外周円形の軸部５ｂとを備えている。
【００３１】
また、回転体４は、前記ピン状突出部４ａ…と、押動作動体本体５の軸部５ｂを回転自在に貫通させる内周円形の軸孔４ｂと、押動作動体本体５の筒部５ａ内に回転自在に嵌合される外周円形の嵌合部４ｃと、押動作動体本体５の基端部に当接する当接部としての段部４ｄとを備えている。
【００３２】
そして、押動作動体本体５の軸部５ｂが回転体４の軸孔４ｂに通されると共に、回転体４の嵌合部４ｃが押動作動体本体５の筒部５ａに嵌合され、押動作動体本体５の軸部５ｂの先端部に、バネ受けを兼ねる円形の抜止め板６が取り付けられることで、回転体４が、押動作動体２に対して、軸線回りで回転自在で、かつ、軸線方向への移動を阻止された状態に備えられたものとなっている。
【００３３】
一方、図１（イ）（ロ）に示すように、シリンダー３は、押動作動体２を進退可能に収容するもので、基端部を有底とする基端側筒体７と、無底の先端側筒体８とに分割されている。
【００３４】
基端側筒体７には、その内周部に、筒内及び先端側筒体８の側に開放されたカム用の第１切欠き部７ａが設けられると共に、先端側筒体８には、その内周部に、筒内及び基端側筒体７の側に開放されたカム用の第２切欠き部８ａが設けられている。
【００３５】
これら基端側筒体７と先端側筒体８とは、第１切欠き部７ａと第２切欠き部８ａとが筒体の側の開放部を通じて互いに連通すると共に、これら連通する切欠き部７ａ，８ａ内に上記の押動作動体２の回転体４のピン状突出部４ａ…を筒内の側の開放部を通じて突出させた状態の同軸配置状態で接着剤等により接合一体化されてシリンダー３を構成している。
【００３６】
また、シリンダー３内において、押動作動体２の抜止め板６と基端側筒体７の底部７ｃとの間に、押動作動体２を進出方向に付勢する第１バネ９が設けられている。
【００３７】
そして、図２（ホ）に示すように、基端側筒体７では、その第１切欠き部７ａ内における軸線方向及び／又は周方向を向く段部７ｂをカム部とし、該カム部７ｂは、第１バネ９の付勢力に抗して後退する押動作動体２の回転体４のピン状突出部４ａ…を基端側筒体７の後退阻止位置である第１深さ位置ｄ１で当接させてそれ以上基端側への押動作動体２の後退を阻止する後退阻止用カム部１０と、該第１深さ位置ｄ１よりも深い第２深さ位置ｄ２まで延びる後退用カム部１１とを、基端側筒体７の内周部において、それぞれ４つづつ、周方向に交互無限連続状の等間隔配置にしたものからなっている。「無限」の語は、周方向に繰り返されるという意味で用いられている。
【００３８】
また、先端側筒体８では、その第２切欠き部８ａにおける軸線方向及び／又は周方向を向く段部８ｂをカム部とし、該カム部８ｂは、送り用の傾斜部と送り阻止用の当接部とを連続状に交互に繰り返すように備え、第１バネ９の付勢力によって進出する押動作動体２の回転体４のピン状突出部４ａ…を受けることにより、それ以上先端側への押動作動体２の進出を阻止すると共に、ピン状突出部４ａ…を、基端側筒体７の第１切欠き部７ａにおける後退用カム部１１…の側の周方向位置から後退阻止用カム部１０の側の周方向位置、該後退阻止用カム部１０の側の周方向位置から次の後退用カム部１１…の側の周方向位置へと順次に周方向に間欠的に回転送りしていくようになされたものからなっている。
【００３９】
これにより、図３（イ）及び図４（イ）に示すように、押動作動体２を第１バネ９の付勢力に抗して押動後退させ、該押動作動体２が後退阻止位置で後退を阻止された状態において、図３（ロ）及び図４（ロ）に示すように、第１バネ９の付勢力によって押動作動体２を進出阻止位置まで進出させ、そして、第１バネ９の付勢力に抗して押動作動体２を押動後退させていくと、図３（ハ）及び図４（ハ）に示すように、上記の後退阻止位置を越えて後退していき、その状態から、図１（イ）及び図２（ホ）に示すように、第１バネ９の付勢力によって押動作動体２を進出阻止位置まで進出させた後、第１バネ９の付勢力に抗して押動作動体２を押動後退させていくと、図３（イ）及び図４（イ）に示すように、上記の後退阻止位置で後退を阻止されるという一連の動作が繰り返し行われていくようになされている。
【００４０】
その動作過程におけるピン状突出部４ａと各筒体７，８のカム部７ｂ，８ｂとの相対的位置関係をより具体的に示したのが、図５（イ）〜（リ）であり、図示するように、本実施形態では、先端側筒体８のカム部８ｂによるピン状突出部４ａの回転送りが、基端側筒体７のカム部７ｂの傾斜部による送り作用と、断面半円状に構成されたピン状突出部４ａとの助けも受けて行われるようになされていて、ピン状突出部４ａを動作安定性良く回転送りしていくことができるようになされている。
【００４１】
また、本実施形態のノック機構体１においては、図３に示すように、作動体２の先端部の位置は、押動作動体２の後退阻止状態において、シリンダー３の先端部位置に非突出状態に位置し、そして、押動作動体２の後退状態において、シリンダー３の先端部位置よりも内方に入り込んだ位置に位置するように構成されている。
【００４２】
上記のノック機構体１では、押動作動体２に、カム係合用のピン状突出部を備えた回転体４が設けられると共に、シリンダー３が基端側筒体７と先端側筒体８との分割構造をしており、
押動作動体２の回転体４のピン状突出部４ａと、基端側筒体７の第１切欠き部７ａにおけるカム部７ｂとで、押動作動体２の後退阻止と後退とが行われるようになされていると共に（第１カム機能）、
押動作動体２の回転体４のピン状突出部４ａと、先端側筒体８の第２切欠き部８ａにおけるカム部８ｂとで、回転体４のピン状突出部４ａが、後退阻止のための周方向位置から後退のための周方向位置、該後退のための周方向位置から後退阻止のための周方向位置へと間欠的に回転送りされるようになされて（第２カム機能）、
押動作動体２の回転体４のピン状突出部４ａが、上記の第１，第２の両方のカム機能の実現に併用された構造となっているので、基端側筒体７の第１切欠き部７ａにおけるカム部７ｂと、先端側筒体８の第２切欠き部８ａにおけるカム部８ｂと、押動作動体２の回転体４のピン状突出部４ａとをノック機構体に備えさせるだけでよく、そのため、構造が簡素で、製作も容易に行うことができる。
【００４３】
しかも、シリンダー３の基端側筒体７が基端部を有底７ｃとし、押動作動体２を進出方向に付勢する第１バネ９が、シリンダー３内において、基端側筒体７の底部７ｃと押動作動体２との間に設けられた構造であるので、ノック機構体１は、それ単独でノック動作を行うことができて、必要箇所への施工等の適用において、ノック動作が行われるようにするための関係部位との関係を考える必要がなく、施工等の必要箇所への適用も容易に行うことができる。
【００４４】
また、押動作動体２への回転体４の組込み構造として、上記のような構成が採られていることにより、軸部５ｂを利用して、抜止め板６と段部４ｄとによって、軸線方向への回転体４の移動を阻止することができるのはもちろん、
回転体軸孔４ｂへの軸部５ｂの挿入と、押動作動体本体５に備えられた筒部５ａ内への、回転体４に備えられた嵌合部４ｃの嵌合とによって、押動作動体２回りでの回転体４の回転を安定でスムーズなものにすることができ、回転体４のピン状突出部４ａを、シリンダー３の先端側筒体８の第２切欠き部８ａにおけるカム部８ｂと第１バネ９の付勢作用とで、スムーズに回転送りしていくことができて、誤作動のないスムーズなノック動作を実現することができる。
【００４５】
上記のノック機構体１をトイレの換気遮音構造に適用した場合の実施形態を示しているのが、図６〜図８である。該トイレ換気遮音構造において、２１はトイレ室、２２は開き戸式のドア板、２３は廊下などの隣室であり、通気口２４は、ドア板２２と床面２５との間に形成された隙間で構成され、ドア板２２は、遮音ドア板などからなって、ドア板２２には、通気口２４を開閉する開閉材２６が組み込まれ、トイレ室２１内には、図示しないが、高所に換気用の排気口が設けられており、
図７（ロ）に示すように、開閉材２６が上昇して通気口２４が開かれることにより、隣室２３の空気が通気口２４を通じてトイレ室２１内に引き込まれ、排気口を通じて屋外に排気される換気状態が形成され、図６（ロ）に示すように、開閉材２６が下降して通気口２４が閉じられることにより、遮音状態が形成されるようになされている。
【００４６】
そして、図７（ロ）に示すように、通気口２４が開いた換気状態で、閉じられているドア板２２を開き、そして閉じると、図６（ロ）に示すように、通気口２４が開閉材２６で閉じられて遮音状態が形成され、続いて、ドア板２２を開き、そして閉じると、図７（ロ）に示すように、通気口２４が開かれて換気状態が形成されるようになされている。
【００４７】
これを実現するための機構として、上記のノック機構体１を用いた次のような機構が採用されている。
【００４８】
即ち、図６〜図８に示すように、ドア枠の左右の側枠のうちの、ドア板２２が丁番２７で枢着される側の側枠２８の内面部には、丁番２７の回動中心位置Ｏから離間した位置において、穴２９が加工により設けられ、該穴２９に、上記のノック機構体１のシリンダー３が、前記側枠２８の内面部と直交する方向に向けられた埋込み状態に設けられている。
【００４９】
本実施形態では、図１（イ）（ロ）に示すように、ノック機構体１のシリンダー３の先端部には、外方に張り出す環状のつば部８ｃが設けられており、図６（ハ）に示すように、該つば部８ｃを側枠２８の内面部の穴２９の開口周縁部に当接させた状態にすることにより、ノック機構体１のシリンダー３を所定の埋込み深さ位置に容易に施工することができ、しかも、該つば部８ｃで穴２９が隠蔽され、穴２９の加工深さもシリンダー３の長さ寸法以上にすればよくて施工を容易に行うことができるようになされている。
【００５０】
また、ドア板２２の枢着側の側面部には、ノック機構体１の押動作動体２の位置に対応して、スイッチ体としてのスイッチ棒３０が、該側面部と直交する方向に向けられ、該方向に進退可能であって、外方に突出できるように備えられ、ノック機構体１に備えられた第１バネ９の付勢力よりも大きな付勢力を備えた第２バネ３１により、外方突出の進出位置に保持されている。
【００５１】
該スイッチ棒３０は、通気口２４を開閉する開閉材２６を、作動状態の切換え制御を受ける機器とし、ドア板２２に組み込まれた伝動機構３２により、スイッチ棒３０が外方に突出した状態では、開閉材２６が上昇していて通気口２４が開いた状態に保持され、該スイッチ棒３０が、第２バネ３１の付勢力に抗してドア板２２の内方側へと押し動かされて後退すると、開閉材２６が下降して通気口２４が閉じられるようになされている。
【００５２】
これにより、ドア板２２が閉じられ、ノック機構体１の押動作動体２がスイッチ棒３０によって押動されて後退阻止位置を越えて後退し、スイッチ棒３０が進出位置に保持されて通気口２４が開いている状態において、ドア板２２を開き、そして閉じていくと、ノック機構体１の押動作動体２の後退が後退阻止位置で阻止されることによってスイッチ棒３０が第２バネ３１の付勢力に抗して後退して後退位置に保持されて通気口２４が開閉材２６で閉じられ、その状態からドア板２２を開き、そして閉じていくと、ノック機構体１の押動作動体２の後退阻止位置を越えた後退が許容されることでスイッチ棒３０が第２バネ３１の付勢力によって進出して進出位置に保持されて通気口２４が開かれるという一連の動作が繰り返されて、通気口２４が開閉材２６で開閉切換え制御されるようになされている。
【００５３】
また、本実施形態では、図３（ロ）に示すように、スイッチ棒３０の先端部３０ａが凸円弧状としての凸球面状をし、ノック機構体１の押動作動体２の先端部２ａが凹円弧状としての凹球面状をしていて、これら凸球面状先端部３０ａと凹球面状先端部２ａのうちの一方が他方を押動して上記のような進退動作を行うようになされている。
【００５４】
これは、ドア板２２の開閉動作において、ノック機構体１の押動作動体２とスイッチ棒３０のいずれか一方がもう一方を押動させていく過程で、それらの軸線方向が相対的に変化していく性質があることに鑑みて採用されたもので、上記の凸球面状先端面３０ａと凹球面状先端面２ａとにより、押動過程における押動作動体２とスイッチ棒３０の押動動作を安定でスムーズなものにして、開閉材２６のスムーズな切換え制御動作を実現するためのものである。
【００５５】
上記のトイレ換気遮音構造によれば、トイレのドア板２２はきちんと閉じておくという習慣を身につけておくことによって、換気状態において、トイレのために、ドア板２２を開けて中に入り、ドア板２２を閉じると、開いていた通気口２４が閉じられて遮音状態が形成されて、行為音が外に漏れず、行為終了後、ドア板２２を開け、外に出て、ドア板２２を閉じると、閉じられていた通気口２４が開かれて換気状態が形成されるので、例えば、男性が小便をするときであっても、トイレを確実に遮音状態にすることができて、行為音が、通気口２４を通じて隣室２３に漏れてしまうのを防ぐことができる。
【００５６】
しかも、上記のような構成のノック機構体１を用いてそのような構造を実現しているので、ノック機構体を、簡素な構造で、容易に製作することができ、ドアの側枠２８への適用も容易に行うことができ、開閉材２６のスムーズな切換え制御動作を実現することができる。
【００５７】
加えて、ドア枠の左右の側枠のうちのドア板２２が丁番２７で枢着される側の側枠２８の内面部、及び、ドア板２２の枢着側の側面部という、ドア板２２の開閉動作に伴って相対変位を行う部分に着目してノック機構体１とスイッチ棒３０と組み込んだ構造であるので、ドア板２２の開閉操作に連動した開閉材２６の切換え制御を実現することができると共に、ドア板２２が閉じられた状態においてこれらノック機構体１とスイッチ棒３０とを、前記面部間に隠蔽状態に隠すことができて、建具の外観を良好なものにすることができる。
【００５８】
以上に、本発明の実施形態を示したが、本発明はこれに限られるものではなく、発明思想を逸脱しない範囲で各種の変更が可能である。例えば、第３〜５発明の機器切換え制御機構における機器は、通気口を開閉する開閉材に限られるものではなく、その他各種の機器であってよい。また、第３，第６，第８発明では、ドア板は、開き戸式のほか、引き戸式のものなど開口部を開閉する各種式の建具からなっていてもよい。また、第１〜第３発明のノック機構体の用途に特別の制限はない。
【図面の簡単な説明】
【００５９】
【図１】実施形態のノック機構体を示すもので、図（イ）は断面正面図、図（ロ）は分解断面正面図である。
【図２】図（イ）〜図（ニ）は、回転体を備えた押動作動体を示すもので、図（イ）は分解正面図、図（ロ）は正面図、図（ハ）は平面図、図（ニ）は断面正面図である。図（ホ）は、回転体のピン状突出部と、シリンダーのカム部との配置関係を示す展開図である。
【図３】図（イ）〜図（ハ）は、ノック機構体の作動状態を順次に示す断面正面図である。
【図４】図（イ）〜図（ハ）は、作動状態におけるピン状突出部とシリンダーのカム部との位置関係を順次に示す展開図である。
【図５】図（イ）〜図（リ）は、作動状態におけるピン状突出部とシリンダーのカム部との位置関係をより詳しく順次に示す展開図である。
【図６】実施形態のトイレ換気遮音構造のトイレ在室中の状態を示すもので、図（イ）は断面平面図、図（ロ）は断面正面図、図（ハ）は図（ロ）の要部拡大断面正面図である。
【図７】同トイレ換気遮音構造のトイレ不在中の状態を示すもので、図（イ）は断面平面図、図（ロ）は断面正面図、図（ハ）は図（ロ）の要部拡大断面正面図である。
【図８】図（イ）はドア板が閉じられた状態の断面平面図、図（ロ）はドア板が開いている状態の断面平面図である。
【符号の説明】
【００６０】
１…ノック機構体
２…押動作動体
２ａ…凹球面状先端部（凹円弧状先端部）
３…シリンダー
４…回転体
４ａ…ピン状突出部（突出部）
４ｂ…軸孔
４ｃ…嵌合部
４ｄ…段部（当接部）
５…押動作動体本体
５ａ…筒部
５ｂ…軸部
６…抜止め板（抜止め材）
７…基端側筒体
７ａ…第１切欠き部
７ｂ…カム部
７ｃ…底部
８…先端側筒体
８ａ…第２切欠き部
８ｂ…カム部
８ｃ…つば部
９…第１バネ
１０…後退阻止用カム部
１１…後退用カム部
２１…トイレ室
２２…ドア板
２３…隣室
２４…通気口
２５…床面
２６…開閉材
２７…丁番
２８…側枠
２９…穴
３０…スイッチ棒
３０ａ…凸球面状先端部（凸円弧状先端部）
３１…第２バネ
ｄ１…第１深さ位置
ｄ２…第２深さ位置
【図１】
0005319135.tif 000002
【図２】
0005319135.tif 000003
【図３】
0005319135.tif 000004
【図４】
0005319135.tif 000005
【図５】
0005319135.tif 000006
【図６】
0005319135.tif 000007
【図７】
0005319135.tif 000008
【図８】
0005319135.tif 000009